(57)【要約】【課題】取扱い易く、作業性に優れ、能率的な固定作業が可能で、構成簡素で、量産に適し、テープ細小片を綺麗に且つスムーズに剥離でき、作業員による作業能率が良くなり、コストを低減でき、経済的な固定用接着テープを提供する。【解決手段】ベースシート１と、その下接着面によってベースシート１の上面に剥離可能に接着する両面着シート２と、両面着シート２の上接着面に剥離可能に接着するセパレーターシート３と、下面の弱粘着層４ｂによってセパレーターシート３の上面に剥離可能に接着する保護シート４とからなり、セパレーターシート３及び両面着シート２には、長手方向に沿って等間隔で複数の切離線５を配し、隣設する切離線５で区画した両面着シート２のテープ細小片６を、同じく隣設する切離線５で区画したセパレーターシート３のセパレーター細小片７の下面に接着した状態のままで、剥離できるよう構成する。【選択図】図２
0003125351.tif 000002
【実用新案登録請求の範囲】
【請求項１】
小さな適宜電子部品や基板・その他等を固定する際に利用される電子部品等の固定用接着テープであって、台紙となる略帯状のベースシートと、その下接着面によってベースシートの上面に剥離可能に接着される略帯状の両面着シートと、この両面着シートの上接着面に剥離可能に接着される略帯状のセパレーターシートと、その下面の弱粘着層によってセパレーターシートの上面に剥離可能に接着される略帯状の保護シートとからなり、前記セパレーターシート及び両面着シートには、長手方向に沿って等間隔で配される複数の切離線を設け、隣設する切離線で区画された両面着シートのテープ細小片が、同じく隣設する切離線で区画されたセパレーターシートのセパレーター細小片の下面に接着された状態のままで、ベースシートや隣設する他のテープ細小片から剥離できるように構成したことを特徴とする電子部品等の固定用接着テープ。
【請求項２】
小さな適宜電子部品や基板・その他等を固定する際に利用される電子部品等の固定用接着テープであって、台紙となる略帯状のベースシートと、その下接着面によってベースシートの上面に剥離可能に接着されると共に、ベースシートより幅狭となる略帯状の両面着シートと、この両面着シートの上接着面に剥離可能に接着されると共に、両面着シートより幅広となる略帯状のセパレーターシートと、その下面の弱粘着層によってセパレーターシートの上面に剥離可能に接着されると共に、セパレーターシートより幅狭となる略帯状の保護シートとからなり、前記セパレーターシート及び両面着シートには、長手方向に沿って等間隔で配される複数の切離線を設けると共に、セパレーターシートの一方の側部には、両面着シートの一方の側縁より側方に突出する摘み部を設け、隣設する切離線で区画された両面着シートのテープ細小片、及び同じく隣設する切離線で区画されたセパレーターシートのセパレーター細小片は、セパレーター細小片の下面にテープ細小片が接着された状態のままで、ベースシートや、隣設する他のテープ細小片や、保護シートの弱粘着層から剥離できるように構成したことを特徴とする電子部品等の固定用接着テープ。
【考案の詳細な説明】
【技術分野】
【０００１】
本考案は、例えば、携帯電話や、デジタルカメラ等の小型製品に於いて、適宜電子部品や基板（例えば、フレキシブルプリント回路基板）や・その他等を固定する際に利用される電子部品等の固定用接着テープに係り、取扱い易く、作業性に優れ、能率的な固定作業が可能となり、しかも、構成が簡素で、量産に適し、経済的なものとなるように工夫した電子部品等の固定用接着テープに関するものである。
【背景技術】
【０００２】
従来、この種の電子部品等の固定用接着テープとしては、例えば、特許文献１に示すような両面粘着テープがある。
そして、このような両面粘着テープは、例えば、図５乃至図７に示すような従来の固定用接着テープからその一部（テープ細小片１６）を剥離して得られるものとなっている。
すなわち、従来の固定用接着テープは、台紙となる略帯状のベースシート１１と、その下接着面によってベースシート１１の上面に剥離可能に接着される略帯状の両面着シート１２と、この両面着シート１２の上接着面に剥離可能に接着される略帯状のセパレーターシート１３とからなり、セパレーターシート１３及び両面着シート１２には、長手方向に沿って等間隔で配される複数の切離線１５を設けて構成したものである。
しかも、隣設する切離線１５で区画された両面着シート１２のテープ細小片１６は、同じく隣設する切離線１５で区画されたセパレーターシート１３のセパレーター細小片１７の下面に接着された状態のままで、ベースシート１１から剥離できるように構成されている。尚、両面着シート１２は、シート心材１２ａの上面に上粘着層１２ｂを設け、シート心材１２ａの下面に下粘着層１２ｃを設けて構成されている。
【０００３】
【特許文献１】特開２００６−１０９３１号公報（図３）
【考案の開示】
【考案が解決しようとする課題】
【０００４】
ところが、前述の如き従来の固定用接着テープにあっては、セパレーターシート１３のセパレーター細小片１７の端部（摘み部１８）を摘んで、両面着シート１２のテープ細小片１６を、セパレーター細小片１７と共にベースシート１１から剥離しようとすると、隣設するテープ細小片１６が、上粘着層１２ｂ及び下粘着層１２ｃの粘着力によって引っ張られてベースシート１１から剥離したり、或いは、ベースシート１１の所定位置からズレたりする現象が生じていた。特に、隣設する切離線１５の間隔が小さい場合（例えば、０．５ｍｍ間隔としたとき）には、テープ細小片１６とベースシート１１との粘着力がより弱くなるため、前記現象がより顕著にあらわれるようになっていた。
すなわち、所望のテープ細小片１６のみを綺麗に且つスムーズに剥離できない難点があった。ひいては、作業員による作業能率が悪くなり、コストの低減が図り難いものとなっていた。
【０００５】
そこで、本考案は、前述の如き課題を解消できるようにすると共に、取扱い易く、作業性に優れ、能率的な固定作業が可能となり、しかも、構成が簡素で、量産に適し、経済的な電子部品等の固定用接着テープを提供できるようにすべく案出されたものである。
【課題を解決するための手段】
【０００６】
しかして、請求項１記載の電子部品等の固定用接着テープにあっては、小さな適宜電子部品や基板・その他等を固定する際に利用される電子部品等の固定用接着テープであって、台紙となる略帯状のベースシート１と、その下接着面によってベースシート１の上面に剥離可能に接着される略帯状の両面着シート２と、この両面着シート２の上接着面に剥離可能に接着される略帯状のセパレーターシート３と、その下面の弱粘着層４ｂによってセパレーターシート３の上面に剥離可能に接着される略帯状の保護シート４とからなり、前記セパレーターシート３及び両面着シート２には、長手方向に沿って等間隔で配される複数の切離線５を設け、隣設する切離線５で区画された両面着シート２のテープ細小片６が、同じく隣設する切離線５で区画されたセパレーターシート３のセパレーター細小片７の下面に接着された状態のままで、ベースシート１や隣設する他のテープ細小片６から剥離できるように構成する手段を採用した。
【０００７】
また、請求項２記載の電子部品等の固定用接着テープにあっては、小さな適宜電子部品や基板・その他等を固定する際に利用される電子部品等の固定用接着テープであって、台紙となる略帯状のベースシート１と、その下接着面によってベースシート１の上面に剥離可能に接着されると共に、ベースシート１より幅狭となる略帯状の両面着シート２と、この両面着シート２の上接着面に剥離可能に接着されると共に、両面着シート２より幅広となる略帯状のセパレーターシート３と、その下面の弱粘着層４ｂによってセパレーターシート３の上面に剥離可能に接着されると共に、セパレーターシート３より幅狭となる略帯状の保護シート４とからなり、前記セパレーターシート３及び両面着シート２には、長手方向に沿って等間隔で配される複数の切離線５を設けると共に、セパレーターシート３の一方の側部には、両面着シート２の一方の側縁より側方に突出する摘み部８を設け、隣設する切離線５で区画された両面着シート２のテープ細小片６、及び同じく隣設する切離線５で区画されたセパレーターシート３のセパレーター細小片７は、セパレーター細小片７の下面にテープ細小片６が接着された状態のままで、ベースシート１や、隣設する他のテープ細小片６や、保護シート４の弱粘着層４ｂから剥離できるように構成する手段を採用した。
【考案の効果】
【０００８】
従って、請求項１記載の固定用接着テープによれば、取扱い易く、作業性に優れ、能率的な固定作業が可能となり、しかも、構成が簡素で、量産に適し、経済的な固定用接着テープとなる。
特に、保護シート４によって、隣設する切離線５で区画された両面着シート２の所望のテープ細小片６のみを、同じく隣設する切離線５で区画されたセパレーターシート３のセパレーター細小片７の下面に接着された状態のままで、ベースシート１や隣設する他のテープ細小片６から綺麗に且つスムーズに剥離できるようになる。ひいては、作業員による作業能率が良くなり、コストの低減が可能となる。
【０００９】
また、請求項２記載の固定用接着テープによれば、取扱い易く、作業性に優れ、能率的な固定作業が可能となり、しかも、構成が簡素で、量産に適し、経済的な固定用接着テープとなる。
特に、保護シート４によって、隣設する切離線５で区画された両面着シート２の所望のテープ細小片６のみを、同じく隣設する切離線５で区画されたセパレーターシート３のセパレーター細小片７の下面に接着された状態のままで、ベースシート１や隣設する他のテープ細小片６から綺麗に且つスムーズに剥離できるようになる。ひいては、作業員による作業能率が良くなり、コストの低減が可能となる。
すなわち、セパレーターシート３のセパレーター細小片７の摘み部１８を摘んで、両面着シート２のテープ細小片６を、セパレーター細小片７と共にベースシート１から剥離しようとするだけで、隣設するテープ細小片６が、両面着シート２の粘着力によって引っ張られてベースシート１から剥離するようなことがなくなり、また、ベースシート１の所定位置からズレたりするようなことがなくなる。特に、隣設する切離線５の間隔が小さい場合（例えば、０．５ｍｍ間隔としたとき）でも、所望のテープ細小片６を、ベースシート１や隣設する他のテープ細小片６から綺麗に且つスムーズに剥離できるようになる。
【考案を実施するための最良の形態】
【００１０】
以下、本考案を図示例に基づいて説明すると、次の通りである。
本考案は、例えば、携帯電話や、デジタルカメラ等の小型製品に於いて、適宜電子部品や基板（例えば、フレキシブルプリント回路基板）や・その他等を固定する際に利用される電子部品等の固定用接着テープである。
具体的には、台紙となる略帯状のベースシート１と、その下接着面によってベースシート１の上面に剥離可能に接着される略帯状の両面着シート２と、この両面着シート２の上接着面に剥離可能に接着される略帯状のセパレーターシート３と、その下面の弱粘着層４ｂによってセパレーターシート３の上面に剥離可能に接着される略帯状の保護シート４とからなる。
更に、前記セパレーターシート３及び両面着シート２には、長手方向に沿って等間隔で配される複数の切離線５を設け、隣設する切離線５で区画された両面着シート２のテープ細小片６が、同じく隣設する切離線５で区画されたセパレーターシート３のセパレーター細小片７の下面に接着された状態のままで、ベースシート１や隣設する他のテープ細小片６から剥離できるように構成したものである。
【実施例】
【００１１】
前記ベースシート１は、例えば、適宜合成樹脂シート材（例えば、ＰＥＴ等）によって略帯状に形成されている。尚、このベースシート１は、長手方向に於いて適宜間隔で切断してあっても良い。
【００１２】
前記両面着シート２は、例えば、適宜合成樹脂シート材（或いは、適宜金属シート材や適宜紙材や適宜複合シート材等でも良い）によって略帯状に形成されるシート心材２ａと、このシート心材２ａの上面に設けられる上粘着層２ｂと、シート心材２ａの下面に設けられる下粘着層２ｃとの三層構造となっている。
尚、上粘着層２ｂとシート心材２ａの間、及び下粘着層２ｃとシート心材２ａの間夫々の接着力は強力で、剥離しないものとなっている。また、上粘着層２ｂとセパレーターシート３の間、及び下粘着層２ｃとベースシート１の間夫々は剥離可能で、しかも、上粘着層２ｂとセパレーターシート３の間に於ける剥離性（剥離し易さ）より、下粘着層２ｃとベースシート１の間に於ける剥離性（剥離し易さ）の方が大きくなるように設定されている。
加えて、両面着シート２は、図２に示すようにベースシート１より幅狭となるように形成されている。
【００１３】
前記セパレーターシート３は、例えば、適宜合成樹脂シート材（例えば、ＰＥＴ等）によって略帯状に形成されている。
しかも、セパレーターシート３は、図２に示すようにベースシート１より幅狭で且つ両面着シート２より幅広となるように形成されている。加えて、セパレーターシート３の一方の側部には、両面着シート２の一方の側縁より側方に突出する摘み部８が設けられている。
【００１４】
前記保護シート４は、例えば、適宜合成樹脂シート材（或いは、適宜金属シート材や適宜紙材や適宜複合シート材等でも良い）によって略帯状に形成されるシート基材４ａと、このシート基材４ａの下面に設けられる弱粘着層４ｂとの二層構造となっている。
加えて、保護シート４は、図２に示すようにセパレーターシート３より幅狭で且つ両面着シート２と略同じ幅となるように形成されている。また、保護シート４の他方の側縁は、セパレーターシート３の他方の側縁や両面着シート２の他方の側縁と揃えられている。
【００１５】
前記切離線５は、例えば、セパレーターシート３及び両面着シート２に跨るように、その長手方向に沿って適宜間隔（例えば、０．２ｍｍ、０．５ｍｍ、１．０ｍｍ、１．２ｍｍ、その他）で配設されている。
【００１６】
前記テープ細小片６は、両面着シート２に於いて隣設する切離線５で区画された部分であり、電子部品等の接着は、このテープ細小片６のみによって行われる。
【００１７】
前記セパレーター細小片７は、セパレーターシート３に於いて隣設する切離線５で区画された部分であり、前記テープ細小片６の上面に完全に重なるように接着されており、所望のテープ細小片６を、ベースシート１や隣設するテープ細小片６から取外す（剥離する）際に、テープ細小片６に直接触れなくて済むように設けられたもので、テープ細小片６の下粘着層２ｃ部分を所定の個所に接着した後、テープ細小片６から剥離されるものである。
【００１８】
ところで、固定用接着テープの具体的構成、形状、寸法、材質、ベースシート１の具体的構成、形状、寸法、材質、両面着シート２の具体的構成、形状、寸法、材質、シート心材２ａの具体的構成、形状、寸法、材質、上粘着層２ｂの具体的構成、形状、寸法、材質、下粘着層２ｃの具体的構成、形状、寸法、材質、セパレーターシート３の具体的構成、形状、寸法、材質、保護シート４の具体的構成、形状、寸法、材質、シート基材４ａの具体的構成、形状、寸法、材質、弱粘着層４ｂの具体的構成、形状、寸法、材質、切離線５の具体的構成、形状、寸法、数、配設位置、テープ細小片６の具体的構成、形状、寸法、材質、セパレーター細小片７の具体的構成、形状、寸法、材質、摘み部８の具体的構成、形状、寸法等は、図示例のもの等に限定されることなく適宜自由に設定、変更できるものである。
【図面の簡単な説明】
【００１９】
【図１】本考案の電子部品等の固定用接着テープを例示する分解斜視図である。
【図２】本考案の電子部品等の固定用接着テープを例示する縦断正面図である。
【図３】本考案の電子部品等の固定用接着テープを例示する部分平面図である。
【図４】本考案の電子部品等の固定用接着テープを例示する部分縦断側面図である。
【図５】従来の電子部品等の固定用接着テープを例示する縦断正面図である。
【図６】従来の電子部品等の固定用接着テープを例示する部分平面図である。
【図７】従来の電子部品等の固定用接着テープを例示する部分縦断側面図である。
【符号の説明】
【００２０】
１      ベースシート
２      両面着シート
２ａ    シート心材
２ｂ    上粘着層
２ｃ    下粘着層
３      セパレーターシート
４      保護シート
４ａ    シート基材
４ｂ    弱粘着層
５      切離線
６      テープ細小片
７      セパレーター細小片
８      摘み部
１１    ベースシート
１２    両面着シート
１２ａ  シート心材
１２ｂ  上粘着層
１２ｃ  下粘着層
１３    セパレーターシート
１５    切離線
１６    テープ細小片
１７    セパレーター細小片
１８    摘み部
【図１】
0003125351.tif 000003
【図２】
0003125351.tif 000004
【図３】
0003125351.tif 000005
【図４】
0003125351.tif 000006
【図５】
0003125351.tif 000007
【図６】
0003125351.tif 000008
【図７】
0003125351.tif 000009